(57)【要約】【課題】ストレスの多い避難所生活であっても、健康を害したりすることなく、しかも取り扱いが容易でかつ備蓄スペースをより小さくすることができる簡易ベッドとする。【解決手段】６個のスリーブ１００と、並べられた前記６個のスリーブ１００の上に載せられる上板２００とを備えており、前記スリーブ１００には数多く流通している箱型の支持体６００が納められるようになっている。前記支持体６００としては、農産物を収納する合成樹脂製のコンテナを使用する。【選択図】      図１
2018110763.tif 000002
【特許請求の範囲】
【請求項１】
複数個のスリーブと、並べられた前記複数個のスリーブの上に載せられる上板とを具備しており、前記スリーブには数多く流通している箱型の支持体が納められることを特徴とする簡易ベッド。
【請求項２】
前記スリーブは、１又は複数個の支持体を納めることができるサイズに設定されていることを特徴とする請求項１記載の簡易ベッド。
【請求項３】
前記支持体は、農産物を収納する合成樹脂製のコンテナであることを特徴とする請求項１又は２記載の簡易ベッド。
【請求項４】
前記スリーブ及び前記上板は、段ボール製であることを特徴とする請求項１、２又は３記載の簡易ベッド。
【請求項５】
前記スリーブは、底面を有していることを特徴とする請求項１、２、３又は４記載の簡易ベッド。
【請求項６】
前記上板と同素材かつ同サイズの仕切り板を有していることを特徴とする請求項１、２、３、４又は５記載の簡易ベッド。
【発明の詳細な説明】
【技術分野】
【０００１】
本発明は、地震、津波、台風等の自然災害発生時の避難所等で使用される簡易ベッドに関する。
【背景技術】
【０００２】
本件発明者は、自然災害発生時の避難所等で使用される簡易ベッドとして意匠登録第１４４３２７７号『折り畳み式簡易ベッド』、意匠登録第１４４７３３４号『折り畳み式簡易ベッド』、意匠登録第１４４７６３３号『折り畳み式簡易ベッド』を創作した。
このうち、意匠登録第１４４３２７７号『折り畳み式簡易ベッド』は、６個のスリーブと、このスリーブに納められる合計２４個の個装箱と、２枚の上板とから構成される。個装箱は、一般的な大きさ（３２５ｍｍ×２１５ｍｍ×３４０ｍｍ）の組立式の段ボール箱である。なお、この個装箱には、強度を増すために、個装箱に補強板をセットした参考図に示すように補強板を斜交いに入れてある。なお、この個装箱の底面は粘着テープで止めるが、上面は粘着テープで止めなくてもよい。また、スリーブは、前記個装箱が４個（２×２）納められるものであって、底面及び上面を欠いた四角筒状になっている。前記上板は、４個の個装箱が納められた６個のスリーブを縦方向に３個、横方向に２個の合計６個を並べたのとほぼ同等の大きさに設定された段ボール紙等の厚紙である。
ベッドとして使用する際には、４個の個装箱が納められた６個のスリーブを縦方向に３個、横方向に２個の合計６個を並べて、その上に２枚の上板を載せる。上板を上側に折り曲げると、下側の個装箱が現れる。この個装箱の上面を粘着テープで止めておかなければ、被服や小物を収納するための収納スペースとして使用することもできる。
かかる折り畳み式簡易ベッドは、地震、津波、台風等の自然災害発生時の避難所等で使用されるものであり、床面との間が個装箱分だけ空いているので、身体を冷やすことなく眠ることができ、特に、高齢者にとってはベッドは起き上がりやすくので、この折り畳み式簡易ベッドを使用するとストレスの多い避難所生活であっても、健康を害したりすることなく寝たきりを未然に防止することができる。  避難所から仮設住宅等に移動する際には、個装箱は荷物を入れるものとして使用できる。
なお、意匠登録第１４４７３３４号『折り畳み式簡易ベッド』、意匠登録第１４４７６３３号『折り畳み式簡易ベッド』は、意匠登録第１４４３２７７号『折り畳み式簡易ベッド』とは、個装箱の数が異なるタイプや、個装箱の形状が異なるタイプである。
【０００３】
【特許文献１】意匠登録第１４４３２７７号公報
【特許文献２】意匠登録第１４４７３３４号公報
【特許文献３】意匠登録第１４４７６３３号公報
【発明の開示】
【発明が解決しようとする課題】
【０００４】
しかしながら、上述した折り畳み式簡易ベッドでは、スリーブ、個装箱、個装箱の内部にセットされる補強板及び上板の合計４種類の部品を必要とする。すなわち、この折り畳み式簡易ベッドでは、不使用時には折り畳めるとはいえ、それなりの備蓄スペースが必要となる。
【０００５】
本発明は、上記事情に鑑みて創案されたもので、上述の折り畳み式簡易ベッドと同等のメリットを持ちつつ、かつ備蓄スペースをより小さくすることができる簡易ベッドを提供することを目的としている。
【課題を解決するための手段】
【０００６】
本発明に係る簡易ベッドは、複数個のスリーブと、並べられた前記複数個のスリーブの上に載せられる上板とを備えており、前記スリーブには数多く流通している箱型の支持体が納められるようになっている。
【０００７】
また、前記スリーブは、１又は複数個の支持体を納めることができるサイズに設定されている。
【０００８】
前記支持体としては、農産物を収納する合成樹脂製のコンテナを使用するとよい。
また、前記スリーブ及び前記上板は、段ボール製である。
さらに、前記スリーブは、底面を有しているとよい。
また、上板と同素材かつ同サイズの仕切り板を有しているとよい。
【発明の効果】
【０００９】
本発明に係る簡易ベッドは、複数個のスリーブと、並べられた前記複数個のスリーブの上に載せられる上板とを具備しており、前記スリーブには数多く流通している箱型の支持体が納められるように構成しているので、備蓄するものはスリーブ及び上板のみでよい。このため、従来の折り畳み式簡易ベッドより備蓄スペースを小さくすることができる。換言すれば、この簡易ベッドは、同一の備蓄スペースでより数多く保管することができるのである。
【００１０】
特に、農産物を収納するコンテナは、規格品であり、大量に流通しているので自然災害発生時でも集めるのにそれほど苦労することはないうえ、普段から簡易ベッド用として備蓄しておく必要もない。
また、前記スリーブ及び前記上板は、段ボール製であるので、取り扱い、持ち運びが容易であり、高齢者でも容易に組み立てることができる。
【００１１】
避難所としては、学校や公共施設の体育館を使用するケースが多い。体育館ではスポーツのため、床面の保護が重視されるが、この簡易ベッドのスリーブは底面を有しているので、スリーブに納めた支持体が床面を傷つけるおそれは極めて低い。
また、この簡易ベッドのスリーブには底面があるので、スリーブ内に体温で温められた空気が滞留し、床面からの冷気を遮断することができる。
さらに、この簡易ベッドのスリーブは底面を有しているので、避難所から仮設住宅等に移動する際の荷物入れとしても流用可能である。
【００１２】
また、この簡易ベッドが、上板と同素材かつ同サイズの仕切り板を有していると、部品点数を増やすことなく、ある程度のプライバシーを確保することができる。また、仕切りの存在によって寒気を遮ることができる。
【図面の簡単な説明】
【００１３】
【図１】本発明の実施の形態に係る簡易ベッドのスリーブ、支持体及び上板の関係を示す概略的斜視図である。
【図２】本発明の実施の形態に係る簡易ベッドに使用されるスリーブの概略的斜視図である。
【図３】本発明の実施の形態に係る簡易ベッドに使用されるスリーブの概略的展開図である。
【図４】本発明の実施の形態に係る簡易ベッドの支持体を納めたスリーブ、上板及び仕切り板の関係を示す概略的斜視図である。
【発明を実施するための形態】
【００１４】
本発明の実施の形態に係る簡易ベッド１０００は、６個のスリーブ１００と、並べられた前記６個のスリーブ１００の上に載せられる上板２００とを備えており、前記スリーブ１００には数多く流通している箱型の支持体６００が納められるようになっている。
【００１５】
前記支持体６００としては、農産物を収納する合成樹脂製のコンテナ（以下、『コンテナ』と称する）を使用する。
かかるコンテナは各種のサイズが存在するが、最も流通しているサイズ、すなわち５１８ｍｍ×３６２ｍｍ×３０８ｍｍ（長辺×短辺×高さ）のものの使用を想定する。しかし、他のサイズのコンテナを支持体６００として使用することを排除するものではない。
支持体６００としてコンテナを流用することにより、従来の折り畳み式簡易ベッドでは必須であった個装箱とその内部にセットされる補強板は不要となった。
【００１６】
前記スリーブ１００は、段ボール紙から構成されている。また、このスリーブ１００は、図２に示すように、矩形状の底面１６０と、この底面１６０の４辺から直立した第１の側面１１０、第２の側面１２０、第３の側面１３０及び第４の側面１４０とを有している。すなわち、このスリーブ１００は、立方体状の段ボール箱の天面を除去したものと同等の形態に形成されている。
かかるスリーブ１００は、支持体６００としての前記コンテナを底面６１０を上向きにし、かつ短辺同士を隣り合わせた状態で２個収納することができるサイズに設定されている。従って、このスリーブ１００の内寸は、コンテナ２個分の外寸である５１８ｍｍ×７２４ｍｍ×３０８ｍｍより若干大きな５３０ｍｍ×７４２ｍｍ×３０８ｍｍに設定されている。
【００１７】
このスリーブ１００は、図３に示すように、７４２ｍｍ×３１０ｍｍの第１の側面１１０、５３０ｍｍ×３１０ｍｍの第２の側面１２０、７４２ｍｍ×３１０ｍｍの第３の側面１３０、５２７ｍｍ×３１０の第４の側面１４０が一連に形成され、かつ第１の側面１１０からは台形状の糊代１５０が延出されている。
さらに、第１の側面１１０及び第３の側面１３０の下縁からは外フラップ１１１、１３１が、第２の側面１２０及び第４の側面１４０の下縁からは内フラップ１２１、１４１がそれぞれ延出されている。この外フラップ１１１、１３１と内フラップ１２１、１４１とが閉じられて底面１６０となるのである。
【００１８】
なお、このスリーブ１００のサイズは、支持体６００としてコンテナのうち最も流通しているサイズのものの使用を想定したためである。従って、他のサイズのコンテナを支持体６００として使用することを想定するのであれば、それにマッチしたサイズのスリーブ１００とすることはいうまでもない。
【００１９】
スリーブ１００は、図１に示すように簡易ベッドの幅方向に２個、長さ方向に３個の合計６個が並べられる。しかも第１の側面１１０及びそれと対向する第３の側面１３０が長さ方向を向くように並べられる。
従って、６個のスリーブ１００が並べられると、幅寸法１０６０ｍｍ強、長さ寸法２２２６ｍｍ強となる。
【００２０】
上板２００は、段ボール紙から構成されている。かかる上板２００は、１０７０ｍｍ×２２５０ｍｍの寸法に設定されている。従って、この上板２００は、１０７０ｍｍの側を６個のスリーブ１００の幅方向に合わせて載せると、６個のスリーブ１００及びスリーブ１００に収納された支持体６００としてのコンテナをすべて覆ってしまうことができる。
支持体６００としてのコンテナが収納された６個のスリーブ１００を２枚の上板２００で覆ってしまうと、その上に寝ころがってもコンテナの底面にある若干の凹凸を感じることはない。簡易ベッド１０００として使用する場合には、上板２００の上にマットレスや敷布団等（図示省略）をさらに被せるのであるから、なおさらコンテナの底面の凹凸は感じられず、不快感はない。
【００２１】
上述した上板２００と同素材かつ同サイズの仕切り板３００は、図４に示すように、長辺部分を１０７０ｍｍの部分で折り曲げると、簡易ベッド１０００の頭側と側面側半分の仕切りとなる。従って、２枚の仕切り板３００を使用すると、簡易ベッド１０００の頭側、一方の側面側及び足側を仕切ることができるようになる。
このため、この簡易ベッド１０００をある程度密着して設置したとしても、簡易ベッド１０００の間には仕切りが存在するので、ある程度のプライバシーを確保することができる。また、仕切りの存在によって寒気を遮ることができる。
【００２２】
上述した実施の形態では、１個のスリーブ１００に２個の支持体６００としてのコンテナを収納するとしたが、本発明はこれに限定されるものではなく、１個のスリーブ１００に１個のコンテナ又は３個以上のコンテナを収納するようにしてもよい。
【００２３】
また、上述した実施の形態では、支持体６００として農産物を収納するコンテナを使用したが、支持体６００はこれに限定されるものではない。例えば、スーパーマーケットで使用される合成樹脂製の買い物かごや、汎用の通箱（合成樹脂、段ボール製等素材は限定されない）を支持体６００として流用することも可能である。
【００２４】
また、支持体６００として使用するものが想定したコンテナとサイズが異なる場合、またはコンテナではない場合には、スリーブ１００と支持体６００との間に隙間が生じることがある。隙間があると強度的や冷気の遮断が不十分であるという問題が生じる。
このような場合には、前記隙間に雑誌や新聞紙等の他の構造材あるいは発泡スチロールや気泡緩衝材等の冷気を遮断することができる素材を詰め込むことで、強度を補強したり、冷気を遮断するようにすればよい。
【符号の説明】
【００２５】
１００    スリーブ
２００    上板
３００    仕切り板
６００    支持体
１０００  簡易ベッド
【図１】
2018110763.tif 000003
【図２】
2018110763.tif 000004
【図３】
2018110763.tif 000005
【図４】
2018110763.tif 000006